(57)【要約】【課題】一次側配管と二次側配管との間に接続される流体管路中に挿入されるバタフライ弁それ自体に一次側の流体圧力を取出し得る流体通路を設けることにより現場でのソケット溶接作業を要することなく現場施工の簡素化、溶接の熱に起因する配管腐食問題を解消することのできるバタフライ弁を提供する。【解決手段】  バタフライ弁１の弁軸３の軸方向一端側を操作部８とし、弁軸３の中心に一次側圧力取出用の流体通路９を弁軸３の軸方向中央付近の外周一部から軸方向に沿って軸方向他端に至るまで貫通形成し、流体通路９の軸方向中央付近に開口する流入口９ａはバタフライ弁閉止状態時に流体管路内の一次側に臨むよう開放状態となし、弁軸３の軸方向他端側には流体通路９の軸方向他端に開口する流出口９ｂと接続管１０を介して連通する一次側圧力計１１を取り付けている。【選択図】図１
2007162719.tif 000002
【特許請求の範囲】
【請求項１】
一次側配管と二次側配管との間に接続される流体管路中に挿入し、流体の流れ方向に直角に設けた弁軸の回りに、回転しうる弁板を取り付けたバタフライ弁であって、前記弁軸の軸方向一端側を操作部とし、前記弁軸の中心に一次側圧力取出用の流体通路を前記弁軸の軸方向中央付近の外周一部から軸方向に沿って軸方向他端に至るまで貫通形成し、前記流体通路の軸方向中央付近に開口する流入口は前記バタフライ弁の閉止状態時に前記流体管路内の一次側に臨むよう開放状態となし、前記弁軸の軸方向他端側には前記流体通路の軸方向他端に開口する流出口と接続管を介して連通する一次側圧力計を取り付けていることを特徴とする、バタフライ弁。
【請求項２】
消火設備の一次側配管と二次側配管との間に接続される流体管路中に挿入されて、流体の流れ方向に直角に設けた弁軸の回りに、回転しうる弁板を取り付けてなるバタフライ弁の前記弁軸の軸方向一端側を操作部とし、前記弁軸の中心に一次側圧力取出用の流体通路を前記弁軸の軸方向中央付近の外周一部から軸方向に沿って軸方向他端に至るまで貫通形成し、前記流体通路の軸方向中央付近に開口する流入口は前記バタフライ弁の閉止状態時に前記流体管路内の一次側に臨むよう開放状態となし、前記弁軸の軸方向他端側には前記流体通路の軸方向他端に開口する流出口と接続管を介して連通する一次側圧力計を取り付けていることを特徴とする、消火設備の圧力測定装置。
【発明の詳細な説明】
【技術分野】
【０００１】
本発明は、バタフライ弁、および該バタフライ弁を備えた消火設備の圧力測定装置に関する。
【背景技術】
【０００２】
たとえば、水系消火設備において、図５に示すように、一次側配管３１と二次側配管３２との間に接続される流体管路３３中に挿入されるバタフライ弁３４の一次側圧力を測定するには、一次側配管３１に一次側圧力取出用の孔３５をあけ、この孔３５にソケット３６を溶接し、このソケット３６に一次側圧力計３７を接続管３８を介して取り付けていた。また、スプリンクラー消火設備等において、図示省略するが、送水ポンプ側に接続される一次側配管とスプリンクラーヘッド側に接続される二次側配管との間に接続される流水検知装置とバタフライ弁が一体的にセットされるものがあるが、これにあっては一次側圧力測定に際し、流水検知装置のプラグ部に一次側圧力計を取り付けていた。
【発明の開示】
【発明が解決しようとする課題】
【０００３】
しかしながら、前者のように現場で一次側配管３１に孔３５をあけてソケット３６を溶接する作業は煩わしく、また溶接の熱により配管３１内のメッキ層が剥がれやすく、腐食の原因になっていた。また、後者のように流水検知装置とバタフライ弁が一体的にセットされるものにあっては、バタフライ弁を閉止状態にした時一次側の流体圧力を正確に測定することが困難であった。
【０００４】
本発明の目的は、このような問題を解決するためになされたもので、バタフライ弁それ自体に一次側の流体圧力を取出し得る流体通路を設けることにより現場でのソケット溶接作業を要することなく現場施工の簡素化、溶接の熱に起因する配管腐食問題を解消することができ、しかもバタフライ弁の閉止時において一次側の流体圧力を正確に測定することのできるバタフライ弁、および該バタフライ弁を備えた消火設備の圧力測定装置を提供することにある。
【課題を解決するための手段】
【０００５】
本発明のバタフライ弁は、一次側配管と二次側配管との間に接続される流体管路中に挿入し、流体の流れ方向に直角に設けた弁軸の回りに、回転しうる弁板を取り付けたバタフライ弁であって、前記弁軸の軸方向一端側を操作部とし、前記弁軸の中心に一次側圧力取出用の流体通路を前記弁軸の軸方向中央付近の外周一部から軸方向に沿って軸方向他端に至るまで貫通形成し、前記流体通路の軸方向中央付近に開口する流入口は前記バタフライ弁の閉止状態時に前記流体管路内の一次側に臨むよう開放状態となし、前記弁軸の軸方向他端側には前記流体通路の軸方向他端に開口する流出口と接続管を介して連通する一次側圧力計を取り付けていることに特徴を有するものである。
【０００６】
本発明の消火設備の圧力測定装置は、消火設備の一次側配管と二次側配管との間に接続される流体管路中に挿入されて、流体の流れ方向に直角に設けた弁軸の回りに、回転しうる弁板を取り付けてなるバタフライ弁の前記弁軸の軸方向一端側を操作部とし、前記弁軸の中心に一次側圧力取出用の流体通路を前記弁軸の軸方向中央付近の外周一部から軸方向に沿って軸方向他端に至るまで貫通形成し、前記流体通路の軸方向中央付近に開口する流入口は前記バタフライ弁の閉止状態時に前記流体管路内の一次側に臨むよう開放状態となし、前記弁軸の軸方向他端側には前記流体通路の軸方向他端に開口する流出口と接続管を介して連通する一次側圧力計を取り付けていることに特徴を有するものである。
【発明の効果】
【０００７】
上記構成のバタフライ弁によれば、バタフライ弁の閉止状態時に流体管路内の一次側の流体が弁軸に設けた流体通路の流入口から該流体通路内および接続管に通ることにより一次側の流体圧力を正確に測定することができる。したがって、従来のような現場での一次側配管へのソケット溶接を講じることなく、圧力計を取り付けたバタフライ弁を組み付けるのみで一次側圧力の正確な測定を可能にするため、現場施工の簡素化を図ることができ、またソケット溶接の熱に起因する配管腐食問題を解消することができて有利である。
【０００８】
斯かるバタフライ弁を使用した上記構成の消火設備の圧力測定装置によれば、一次側配管へのソケット溶接の省略化、現場施工の簡素化、およびソケット溶接の熱に起因する配管腐食問題の解消を図り得るばかりか、従来の流水検知装置とバタフライ弁の一体型にあったような、バタフライ弁閉止時の一次側配管内の圧力測定における上記問題点を解消することができ、一次側の流体圧力を正確に測定することができるという効果を奏するものである。
【発明を実施するための最良の形態】
【０００９】
以下、本発明の好適な実施形態を図面に基づき説明する。図１は本発明のバタフライ弁を全開状態で示す断面図、図２は図１のバタフライ弁を全閉状態で示す断面図である。
【００１０】
図１、図２において、本発明に係るバタフライ弁１は、内部に円筒状の流体管路を貫通した弁本体２内に、弁軸３を流体の流れ方向に直角となるよう設け、この弁軸３回りに回転しうる円板状の弁板４を取り付け、弁本体２の内周面と弁板４の外周面との間にゴム等弾性密封材であるシートリング５を介挿し、該シートリング５の内周面に弁板４の外周面を接離させることにより弁本体２内の流体管路を開閉制御するようにしてある。このバタフライ弁１は一次側配管６と二次側配管７との間に接続される。
【００１１】
バタフライ弁１は弁軸３の軸方向一端側を弁本体２の外周面から外方へ突出し、この突出端に手動操作用把手８ａあるいはアクチュエータ（図示せず）等を取り付けて操作部８としている。そして、弁軸３の中心には一次側圧力取出用の流体通路９が弁軸３の軸方向中央付近の外周一部から軸方向に沿って弁軸３の軸方向他端に至るまで貫通形成され、流体通路９の軸方向中央付近に開口する流入口９ａはバタフライ弁１の閉止状態時（図２参照）に流体管路内の一次側に臨むよう開放状態となし、弁軸３の軸方向他端側には流体通路９の軸方向他端に開口する流出口９ｂと接続管１０を介して連通する一次側圧力計１１が取り付けられている。
【００１２】
しかるときは、一次配管６内の圧力測定は、図２に示すようにバタフライ弁１を閉止状態にして弁本体２の流体管路内の一次側流体を弁軸３内の流体通路９の流入口９ａから該流体通路９内および接続管１０に通すことにより一次側圧力計１１で一次側の流体圧力を正確に測定することができる。したがって、これによれば、現場施工に際し、一次側圧力計１１を備えたバタフライ弁１を一次側配管６と二次側配管７との間に接続するだけの簡単な作業で済むため、従来の図５に示すような現場での一次側配管３１へのソケット溶接を省略することができて現場施工の簡素化を図ることができ、またソケット溶接の熱に起因する配管腐食問題を解消することができる。
【００１３】
図３、図４は本発明に係る消火設備の圧力測定装置の実施例を示している。
この消火設備の圧力測定装置は、スプリンクラー消火設備等において送水ポンプ側に接続される一次側配管１７とスプリンクラーヘッド側に接続される二次側配管１８との間に、流体検知装置を構成する逆止弁機構の流体制御弁１９と、上記バタフライ弁１と同じ構造のバタフライ弁１２、すなわち、内部に円筒状の流体管路を貫通した弁本体１３、該弁本体１３内に弁軸１４回りに回転自在に取り付けた円板状の弁板１５、および弁本体１３の内周面と弁板１５の外周面との間に介挿されたゴム等弾性密封材であるシートリング１６を備えてなるバタフライ弁１２とを上下に配して接続する。
【００１４】
バタフライ弁１２は弁軸１４の軸方向一端側を弁本体１３の外周面から外方へ突出し、この突出端に手動操作用把手２０ａあるいはアクチュエータ（図示せず）等を取り付けて操作部２０としている。そして、弁軸１４の中心には一次側圧力取出用の流体通路２１が弁軸１４の軸方向中央付近の外周一部から軸方向に沿って軸方向他端に至るまで貫通形成され、流体通路２１の軸方向中央付近に開口する流入口２１ａはバタフライ弁１２の閉止状態時に流体管路内の一次側に臨むよう開放状態となし、弁軸１４の軸方向他端側には流体通路２１の軸方向他端に開口する流出口２１ｂと接続管２２を介して連通する一次側圧力計２３が取り付けられている。
【００１５】
流体検知装置を構成する流体制御弁１９は、一次側の流入口２４と二次側の流出口２５を有し、かつ両者２４，２５間に弁座２６を介して弁室２７を形成した弁本体２８と、弁室２７に、流入口２４から流出口２５への流体圧によってスピンドル２９回りに開かれる逆止弁体３０とからなり、逆止弁体３０と共に開き回動するスピンドル２９の一端部により信号発生手段（図示せず）が駆動されて信号を出力し、電気的に警報を発する周知のものである。
【００１６】
上記構成の消火設備の圧力測定装置によれば、一次配管１７内の圧力測定は、図４に示すようにバタフライ弁１２を閉止状態にして弁本体１３の流体管路内の一次側流体を弁軸１４内の流体通路２１の流入口２１ａから該流体通路２１内および接続管２２に通すことにより一次側圧力計２３で一次側の流体圧力を正確に測定することができる。したがって、これによれば、現場施工に際し、一次側圧力計２３を備えたバタフライ弁１２を一次側配管１７と流体制御弁１９との間に接続するだけの簡単な作業で済むため、従来の図５に示すような現場での一次側配管３１へのソケット溶接を省略することができて現場施工の簡素化を図ることができ、またソケット溶接の熱に起因する配管腐食問題を解消することができる。さらに、従来の流水検知装置とバタフライ弁の一体型にあったような、バタフライ弁閉止時の一次側配管内の正確な圧力測定の困難性を解消することができる。
【図面の簡単な説明】
【００１７】
【図１】本発明のバタフライ弁を全開状態で示す断面図である。
【図２】図１のバタフライ弁を全閉状態で示す断面図である。
【図３】本発明の消火設備の圧力測定装置をバタフライ弁全開状態で示す断面図である。
【図４】図３の消火設備の圧力測定装置をバタフライ弁全閉状態で示す断面図である。
【図５】従来例のバタフライ弁を全開状態で示す断面図である。
【符号の説明】
【００１８】
１，１２  バタフライ弁
３，１４  弁軸
４，１５  弁板
６，１７  一次側配管
７，１８  二次側配管
８，２０  操作部
９，２１  流体通路
９ａ，２１ａ  流入口
９ｂ，２１ｂ  流出口
１０，２２  接続管
１１，２３  一次側圧力計
【図１】
2007162719.tif 000003
【図２】
2007162719.tif 000004
【図３】
2007162719.tif 000005
【図４】
2007162719.tif 000006
【図５】
2007162719.tif 000007